(57)【特許請求の範囲】
【請求項１】
開口端部を有する複数の円筒状の金属容器の前記開口端部同士が連結される連結部において前記金属容器に固定された絶縁支持物によって前記金属容器の内部空間に高電圧導体が固定配置されるとともに、前記内部空間に絶縁ガスが封入されたガス絶縁高電圧機器において、
前記金属容器の端部で前記絶縁支持物と接合する第１の接合面に、粘着性物質を塗布し、
前記絶縁支持物において前記金属容器と接合する第２の接合面に粘着性物質を塗布し、
前記第２の接合面の一部にオーリングを設け、前記金属容器の長手方向に直交する方向に対して前記オーリングよりも外側に前記粘着性物質を塗布した、
ことを特徴とするガス絶縁高電圧機器。
【請求項２】
前記金属容器の内部空間に前記絶縁ガスを封入するためのガス配管を前記金属容器の外側に設け、かつ前記ガス配管が前記金属容器と接合する第３の接合面及び前記金属容器が前記ガス配管と接合する第４の接合面に粘着性物質を塗布したことを特徴とする請求項１記載のガス絶縁高電圧機器。
【請求項３】
前記第４の接合面の一部にオーリングを設け、前記金属容器の長手方向に対して前記オーリングよりも外側に前記粘着性物質を塗布したことを特徴とする請求項２記載のガス絶縁高電圧機器。
【請求項４】
前記絶縁支持物の中央部には埋込電極が設けられ、前記高電圧導体の端部と前記埋込電極とが接続され、かつ前記高電圧導体と前記埋込電極との接続面に粘着性物質を塗布したことを特徴とする請求項１ないし請求項３のいずれか１項記載のガス絶縁高電圧機器。
【請求項５】
前記高電圧導体の一部に、前記高電圧導体の一端に設けられた固定側接触子と他端に設けられた可動側接触子とで構成され、電気の通電状態及び遮断状態を切り替える接点部が設けられ、かつ前記可動側接触子及び前記固定側接触子の接触面に粘着性物質を塗布したことを特徴とする請求項１ないし請求項４のいずれか１項記載のガス絶縁高電圧機器。
【請求項６】
前記粘着性物質を導電性としたことを特徴とする請求項１ないし請求項５のいずれか１項記載のガス絶縁高電圧機器。
【発明の詳細な説明】
【技術分野】
【０００１】
本発明の実施形態は、機器の組立時等において発生する異物が機器内部に混入することを抑制できるガス絶縁高電圧機器に関する。
【背景技術】
【０００２】
ガス絶縁高電圧機器においては、コスト低減のため絶縁設計の最適化や、機器の三相一括化などによる一層の機器縮小化が望まれている。ガス絶縁高電圧機器の大きさは、基本的に絶縁設計及び放熱設計で決まる。
【０００３】
図７に、従来のガス絶縁高電圧機器の構造を示す。
【０００４】
このガス絶縁高電圧機器５０では、金属製の金属容器１の内部に高電圧導体３が絶縁支持物５によって絶縁支持されている。また、金属容器１同士は連結部７で連結され、この連結部７において絶縁支持物５が金属容器１に固定されている。さらに、金属容器１の内部には絶縁ガス８が封入されている。
【０００５】
このガス絶縁高電圧機器５０において、金属容器１同士を連結する際などに、金属同士の摩擦によって金属異物９が金属容器１内に混入することがある。この時、金属容器１から金属異物９へと電荷ｑが供給されるため、金属異物９は高電圧導体３が形成する運転電界Ｅによって静電気力（Ｆ＝ｑＥ）が働き、図中に示す矢印のような挙動を示し、金属容器１内部で金属異物９が動き回る可能性がある。
【０００６】
昨今の機器のさらなる小型化が進むと、金属容器１内部の運転電界が高くなり、静電気力も大きくなるため、金属異物９が金属容器１内部で過度に挙動して高電圧導体３の近傍に近づき易くなる。その結果、機器としての絶縁性能を低下させて絶縁破壊が発生する可能性がある。
【０００７】
このような運転電界での金属異物９の挙動を抑えるには、金属容器１内面の電界を金属異物９の浮上電界値以下にする必要があり、金属容器１の内径はある寸法より大きくせざるを得なくなる。すなわち、製造管理上において除去できない最大異物の挙動を抑えるのに必要な電界によって、金属容器１の大きさが決められており、ＧＩＳの縮小化の制約要因になっている。
【０００８】
上記のような混入異物による機器縮小化への制約条件を低減させる対策として、絶縁コーティングを用いた手法がある。
【０００９】
図８に、絶縁コーティングを用いた従来のガス絶縁高電圧機器の構造を示す。
【００１０】
このガス絶縁高電圧機器６０では、金属容器１の内面に塗装等により絶縁コーティング６を施した以外は、図７に示すガス絶縁高電圧機器５０と同様に形成されている。
【００１１】
絶縁コーティング６を施すと、金属容器１内面から金属異物９に電荷ｑが供給され難くなり、その結果、金属異物９に働く静電気力（Ｆ＝ｑＥ）が小さくなって金属異物９が挙動し難くなる。
【００１２】
しかしながら、このような絶縁コーティング６のみでは、高電圧機器の近傍にある高電圧開閉装置の開閉操作時に発生する衝撃振動が伝播してくることによって、異物が挙動してしまう可能性が高い。
【００１３】
また、密閉型開閉装置の内面塗装に関し、塗装の剥離が生じると剥離片が機器の絶縁性能に悪影響を与える可能性がある。このため、絶縁性能信頼性を確保すべく、塗装の剥離がないように品質保持を図る必要がある。
【００１４】
一方、上記の絶縁コーティングを施す手法とは全く異なった技術的思想に基づく解決策として、粘着性コーティングを施す手法が提案されている。
【００１５】
図９に、粘着性コーティングを用いた従来のガス絶縁高電圧機器の構造を示す。
【００１６】
このガス絶縁高電圧機器７０では、金属容器１の内面に、粘着性と弾性を有するゴム系のエラストマーからなる粘着性コーティング６’を施した以外は、図７に示すガス絶縁高電圧機器５０と同様に形成されている。
【００１７】
金属容器１内面にゴム系のエラストマーで粘着塗装をすると、エラストマーの粘着性で金属異物９を捕獲しているため、衝撃振動に対しても金属異物９の動きを抑制する効果が期待できる。
【先行技術文献】
【特許文献】
【００１８】
【特許文献１】特開平３−４５１１１号公報
【発明の概要】
【発明が解決しようとする課題】
【００１９】
しかしながら、ゴム系エラストマーは、一般的に絶縁コーティングよりも高価であるため、機器の金属容器１内面の全てにエラストマー塗装すると機器が高価になってしまう。これを避けるため、エラストマー塗装を機器の金属容器１内面の必要な部分にのみ塗装することも考えられるが、次のような問題が発生する。
【００２０】
即ち、金属容器１の連結部７におけるボルト締結作業等において発生する可能性のある異物は、一般的に針状の金属異物９である。このような針状の金属異物９がエラストマー塗装からなる粘着性コーティング６’の範囲外に混入した場合に、針状の金属異物９が機器の運転時に挙動してエラストマー塗装の範囲内に進入すると、針状の金属異物９は静電気力の作用する向きに起立した状態のまま、エラストマー塗装からなる粘着性コーティング６’に捕獲される。この状態において、仮に送電線への落雷などにより高電圧が進入してくると、エラストマー塗装上で起立した針状の金属異物９が起点となって絶縁破壊が発生する危険性が高くなってしまう。
【００２１】
そこで、本発明の実施形態は、機器の組立時等において発生する異物が機器内部に混入することを抑制でき、機器の縮小化を実現できる絶縁性能の良好なガス絶縁高電圧機器を提供することを目的とする。
【課題を解決するための手段】
【００２２】
上述の目的を達成するため、本発明の実施形態のガス絶縁高電圧機器は、開口端部を有する複数の円筒状の金属容器の前記開口端部同士が連結される連結部において前記金属容器に固定された絶縁支持物によって前記金属容器の内部空間に高電圧導体が固定配置されるとともに、前記内部空間に絶縁ガスが封入されたガス絶縁高電圧機器において、前記金属容器の端部で前記絶縁支持物と接合する第１の接合面に、粘着性物質を塗布し、前記絶縁支持物において前記金属容器と接合する第２の接合面に粘着性物質を塗布し、前記第２の接合面の一部にオーリングを設け、前記金属容器の長手方向に直交する方向に対して前記オーリングよりも外側に前記粘着性物質を塗布した、ことを特徴とする。
【図面の簡単な説明】
【００２３】
【図１】本発明に係るガス絶縁高電圧機器の第１の実施形態を示す組立図。
【図２】図１のＩＩ部の拡大図。
【図３】本発明に係るガス絶縁高電圧機器の第２の実施形態を示す組立図。
【図４】図３のＩＶ部の拡大図。
【図５】本発明に係るガス絶縁高電圧機器の第３の実施形態の全体構成を示す組立図。
【図６】本発明に係るガス絶縁高電圧機器の第４の実施形態を示す構成図。
【図７】従来のガス絶縁高電圧機器の構造を示す概略図。
【図８】絶縁コーティングを用いた従来のガス絶縁高電圧機器の構造を示す概略図。
【図９】粘着性コーティングを用いた従来のガス絶縁高電圧機器の構造を示す概略図。
【発明を実施するための形態】
【００２４】
以下、本発明の実施の形態について、図面を参照して具体的に説明する。なお、従来例として図７に示したガス絶縁高電圧機器と同一の部材に関しては同一符号を付し、説明は省略する。
【００２５】
［第１の実施の形態］
（全体構成）
図１は本発明に係るガス絶縁高電圧機器の第１の実施形態の全体構成を示す組立図である。また、図２は図１のＩＩ部の拡大図である。
【００２６】
本実施の形態のガス絶縁高電圧機器１０では、図２に示すように、金属容器１の接合面１１及び絶縁支持物５の接合面１２に粘着性物質１３が塗布されている。
【００２７】
粘着性物質１３としては、シリコーンゲル等を用いることができる。
【００２８】
また、接合面１１及び接合面１２における粘着性物質１３の塗布範囲としては、金属容器１の内部と外部との気密性を保つために接合面１２に形成されているオーリング１５よりも金属容器１の長手方向に直交する方向に対して外側範囲１７に塗布することが好ましい。
【００２９】
さらに、塗布する粘着性物質１３を導電性とすることもできる。
【００３０】
（作用・効果）
本実施の形態に係るガス絶縁高電圧機器１０では、金属容器１の接合面１１及び絶縁支持物５の接合面１２に粘着性物質１３を塗布しているので、ガス絶縁高電圧機器１０を組立てる際に連結部７で金属容器１及び絶縁支持物５を接続し、ボルト締めを実施する際に針状の金属異物が発生しても、この針状の金属異物を粘着性物質１３で捕獲することができる。
【００３１】
これにより針状金属異物が金属容器１に混入してしまうことを防ぐことができるため、金属異物９を内部に混入させずにガス絶縁高電圧機器１０を組立てることができる。
【００３２】
また、粘着性物質１３の塗布範囲として、オーリング１５が形成されている位置よりも外側に塗布しているので、オーリング１５が持つ気密性の性能を保ったままの状態で粘着性物質１３による金属異物の捕獲を実現することができる。
【００３３】
さらに、粘着性物質１３を導電性の物質とすることにより、金属容器１間の接触抵抗を低くすることができるため、仮に何らかの原因によって金属容器１に不測の電圧が誘導された場合であっても、速やかに電圧を接地に落とすことが可能になる。このため、人が金属容器１に触れた場合であっても感電する危険性は少ない。
【００３４】
以上より、金属容器１内外のガス気密性が良好であり、異物を管理限界以下に抑えて感電の危険性を少なくするとともに、機器のサイズをコンパクト化したガス絶縁高電圧機器１０を提供することができる。
【００３５】
［第２の実施の形態］
（全体構成）
図３は本発明に係るガス絶縁高電圧機器の第２の実施形態の全体構成を示す組立図である。また、図４は図３のＩＶ部の拡大図である。
【００３６】
本実施の形態のガス絶縁高電圧機器２０では、図４に示すように、金属容器１に設置された配管フランジ２１とガス配管２２とが接合する接合面２３及び接合面２４に粘着性物質１３が塗布されている。
【００３７】
粘着性物質１３としては、シリコーンゲル等を用いることができる。
【００３８】
また、接合面２３及び接合面２４における粘着性物質１３の塗布範囲としては、金属容器１の内部と外部との気密性を保つために接合面２４に形成されているオーリング２５よりも金属容器１の長手方向に対して外側範囲２７に塗布することが好ましい。
【００３９】
さらに、塗布する粘着性物質１３を導電性とすることもできる。
【００４０】
（作用・効果）
本実施の形態に係るガス絶縁高電圧機器２０では、接合面２３及び接合面２４に、粘着性物質１３を塗布しているので、金属容器１の内部を真空引し、さらに絶縁ガス８を封入するためのガス配管２２を配管フランジ２１で接続してボルト締めを実施する際に発生する針状の金属異物を、接合面２３及び接合面２４に塗布した粘着性物質１３で捕獲することができる。
【００４１】
これにより針状金属異物が金属容器１に混入してしまうことを防ぐことができるため、金属異物を内部に混入させずにガス配管２２を接続することができる。
【００４２】
また、粘着性物質１３の塗布範囲として、オーリング２５が形成されている位置よりも外側に塗布しているので、オーリング２５が持つ気密性の性能を保ったままの状態で粘着性物質１３による金属異物の捕獲を実現することができる。
【００４３】
さらに、粘着性物質１３を導電性の物質とすることにより、金属容器１間の接触抵抗を低くすることができるため、仮に何らかの原因によって金属容器１に不測の電圧が誘導された場合であっても、速やかに電圧を接地に落とすことが可能になる。
【００４４】
このため、人が金属容器１に触れた場合であっても感電する危険性は少ない。
【００４５】
以上より、金属容器１内外のガス気密性が良好であり、異物を管理限界以下に抑えて感電の危険性を少なくするとともに、機器のサイズをコンパクト化したガス絶縁高電圧機器２０を提供することができる。
【００４６】
［第３の実施の形態］
（全体構成）
図５は、本発明に係るガス絶縁高電圧機器の第３の実施形態の全体構成を示す組立図である。
【００４７】
本実施の形態のガス絶縁高電圧機器３０では、絶縁支持物５の中央部に埋込電極３１が設けられ、高電圧導体３の端部と埋込電極３１とが接続される接続面３２に粘着性物質１３が塗布されている。
【００４８】
また、塗布する粘着性物質１３を導電性とすることもできる。
【００４９】
（作用・効果）
本実施の形態に係るガス絶縁高電圧機器３０では、高電圧導体３と埋込電極３１との接続面３２に粘着性物質１３を塗布しているので、高電圧導体３を埋込電極３１に挿入・接続する時に、金属同士が擦れ合う際に生成する粉状の金属異物を粘着性物質１３によって捕獲することができる。
【００５０】
これにより、粉状金属異物が金属容器１の内面に進出してしまうことを防ぐことができるため、金属異物を内部に混入させずにガス絶縁高電圧機器３０を組立てることができる。
【００５１】
さらに、粘着性物質１３を導電性の物質とすることにより、高電圧導体３と埋込電極３１との間の接触抵抗を低くすることができるため、ガス絶縁高電圧機器３０の運転時の通電電流による接続面の温度上昇を低く抑えることができる。このため、通電性能の良好なガス絶縁高電圧機器３０を提供することができる。
【００５２】
以上より、金属容器１内外のガス気密性が良好であり、異物を管理限界以下に抑えて感電の危険性を少なくするとともに、機器のサイズをコンパクト化したガス絶縁高電圧機器３０を提供することができる。
【００５３】
［第４の実施の形態］
（全体構成）
図６は、本発明に係るガス絶縁高電圧機器の第４の実施形態を示す構成図である。
【００５４】
本実施の形態のガス絶縁高電圧機器４０は、金属容器１の内部に設置された高電圧導体３の一部に、電気の通電状態及び遮断状態を切り替える接点部４１が形成されている。この接点部４１は固定側接触子４２と可動側接触子４３とで構成され、可動側接触子４３が移動して固定側接触子４２に接触することで接点部４１を「入」状態にすることを可能とし、可動側接触子４３が移動して固定側接触子４２から離れることで接点部４１を「切」状態にすることを可能としている。
【００５５】
さらに、可動側接触子４３と固定側接触子４２との接触面４４に粘着性物質１３が塗布されている。
【００５６】
また、塗布する粘着性物質１３を導電性とすることもできる。
【００５７】
（作用・効果）
本実施の形態に係るガス絶縁高電圧機器４０では、可動側接触子４３と固定側接触子４２との接触面４４に粘着性物質１３を塗布しているので、電気を通電状態から遮断状態、または遮断状態から通電状態とするための接点部の入切操作において金属同士が摺動することによって発生する粉状の金属異物を粘着性物質１３によって捕獲することができる。
【００５８】
これにより、粉状金属異物が金属容器１の内面に進出してしまうことを防ぐことができるため、金属異物を内部に混入させずにガス絶縁高電圧機器４０の通電操作および遮断操作を行うことができる。
【００５９】
さらに、粘着性物質１３を導電性の物質とすることより、可動側接触子４３と固定側接触子４２との間の接触抵抗を低くすることができるため、ガス絶縁高電圧機器４０の運転時の通電電流による接触面の温度上昇を低く抑えることができる。このため、通電性能の良好なガス絶縁高電圧機器４０を提供することができる。
【００６０】
以上より、金属容器１内外のガス気密性が良好であり、異物を管理限界以下に抑えて感電の危険性を少なくするとともに、機器のサイズをコンパクト化したガス絶縁高電圧機器４０を提供することができる。
【００６１】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６２】
１…金属容器
３…高電圧導体
５…絶縁支持物
６…絶縁コーティング
６’…粘着性コーティング
７…連結部
８…絶縁ガス
９…金属異物
１０…ガス絶縁高電圧機器
１１…接合面（第１の接合面）
１２…接合面（第２の接合面）
１３…粘着性物質
１５…オーリング
１７…外側範囲
２０…ガス絶縁高電圧機器
２１…配管フランジ
２２…ガス配管
２３…接合面（第３の接合面）
２４…接合面（第４の接合面）
２５…オーリング
２７…外側範囲
３０…ガス絶縁高電圧機器
３１…埋込電極
３２…接続面
４０…ガス絶縁高電圧機器
４１…接点部
４２…固定側接触子
４３…可動側接触子
４４…接触面
５０…ガス絶縁高電圧機器
６０…ガス絶縁高電圧機器
７０…ガス絶縁高電圧機器
【図１】
0005774389.tif 000002
【図２】
0005774389.tif 000003
【図３】
0005774389.tif 000004
【図４】
0005774389.tif 000005
【図５】
0005774389.tif 000006
【図６】
0005774389.tif 000007
【図７】
0005774389.tif 000008
【図８】
0005774389.tif 000009
【図９】
0005774389.tif 000010